(57)【要約】      （修正有） 【課題】大型気化放熱式涼風発生機を用い、作業環境を空調設備に比べて低消費電力により、作業施設内の体感温度を低下させることができ、任意の設置場所までの移動、設置場所での安定的な設置、再度の移動が容易であり、かつ、設置後の涼風送気方向の調整も可能な作業施設用移動式涼風発生装置を提供する。【解決手段】作業施設用移動式涼風発生装置１は、気化放熱式大型涼風発生機２と、涼風発生機２が搭載された自走式車台３とを備える。自走式車台３は、複数のキャスター３２，３４等と、駆動モータを備えた駆動輪３６と、複数のアジャスター８１，８３等とを備える。涼風発生機は、上面に装着された吹き出される涼風の少なくとも左右方向の向きを調整可能な涼風送気ダクト５を備える。【選択図】図１
0003169548.tif 000002
【実用新案登録請求の範囲】
【請求項１】
気化放熱式大型涼風発生機と、前記涼風発生機が搭載された自走式車台とを備える作業施設用移動式涼風発生装置であって、
前記自走式車台は、車台本体を有し、前記車台本体は、複数のキャスターと、電動式駆動機構もしくは手動式駆動機構を備えた駆動輪と、前記涼風発生装置を固定維持するための複数のアジャスターとを備え、
前記気化放熱式大型涼風発生機は、涼風発生機本体と、前記涼風発生機本体の上面に装着されるとともに、前面側に湾曲した涼風送気ダクトとを備え、前記涼風送気ダクトは、前記送気ダクトの先端に位置する涼風吹出口より吹き出される涼風の少なくとも左右方向の向きを調整可能となっていることを特徴とする作業施設用移動式涼風発生装置。
【請求項２】
前記車台本体は、向かい合うように設けられた２つの一端側キャスターと、向かい合うように設けられた２つの他端側キャスターと、向かい合うように設けられた２つの一端側アジャスターと、向かい合うように設けられた２つの他端側アジャスターとを備えている請求項１に記載の作業施設用移動式涼風発生装置。
【請求項３】
前記涼風送気ダクトは、前記送気ダクトの先端に位置する涼風吹出口より吹き出される涼風の上下方向の向きおよび左右方向の向きを調整可能となっている請求項１または２に記載の作業施設用移動式涼風発生装置。
【請求項４】
前記涼風送気ダクトは、前記涼風発生機本体の上面に左右方向に回動可能に装着されている請求項１ないし３のいずれかに記載の作業施設用移動式涼風発生装置。
【請求項５】
前記涼風送気ダクトは、先端部に少なくとも上下方向に変形可能な変形可能部を備えている請求項１ないし４のいずれかに記載の作業施設用移動式涼風発生装置。
【請求項６】
前記涼風送気ダクトは、前記涼風吹出口に設けられた角度変更可能なルーバーを備えている請求項１ないし５のいずれかに記載の作業施設用移動式涼風発生装置。
【請求項７】
前記涼風送気ダクトは、前記涼風発生機本体の上面に左右方向に回動可能に装着されており、かつ、先端部に蛇腹状の変形可能部を備え上下方向に変形可能となっており、さらに、前記涼風吹出口には、左右方向角度変更可能なルーバーを備えている請求項１ないし６のいずれかに記載の作業施設用移動式涼風発生装置。
【請求項８】
前記気化放熱式涼風発生機本体は、上面に設けられた送風口と、側面に設けられた吸気口とを有するハウジングと、前記吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える冷却ユニットと、前記冷却ユニットの内側かつ前記送風口の下方に設けられ、前記冷却ユニットにより冷却された涼気を前記送風口に送る送風機とを備えている請求項１ないし７のいずれかに記載の作業施設用移動式涼風発生装置。
【請求項９】
前記気化放熱式涼風発生機本体は、上面に設けられた送風口と、向かい合う側面に設けられた２つの吸気口とを有するハウジングと、前記一方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第１の冷却ユニットと、前記他方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第２の冷却ユニットと、前記第１の冷却ユニットと前記第２の冷却ユニット間かつ前記送風口の下方に設けられ、前記第１および第２の冷却ユニットにより冷却された涼気を合わせて前記送風口に送る送風機とを備えている請求項１ないし８のいずれかに記載の作業施設用移動式涼風発生装置。
【請求項１０】
前記気化放熱式涼風発生機本体は、前記貯留部と連通する水注入ポートおよび水ドレーンポートと、定期的に前記貯留部内の水を排出するためのドレーンポンプを備えている請求項８または９に記載の作業施設用移動式涼風発生装置。
【請求項１１】
前記作業施設用移動式涼風発生装置は、前記自走式車台と前記涼風発生機本間に配置された制震材を備えている請求項１ないし１０のいずれかに記載の作業施設用移動式涼風発生装置。
【請求項１２】
前記車台本体は、向かい合うように設けられた２つの一端側キャスターと、向かい合うように設けられた２つの他端側キャスターと、前記一端側キャスターと前記他端側キャスター間に位置し、かつ向かい合うように設けられた２つの中央側キャスターとを備え、前記駆動輪は、前記２つの中央側キャスター間に設けられており、さらに、前記車台本体は、向かい合うように設けられた２つの一端側アジャスターと、向かい合うように設けられた２つの他端側アジャスターとを備えている請求項１ないし１１のいずれかに記載の作業施設用移動式涼風発生装置。
【請求項１３】
前記自走式車台は、前記駆動輪を支持する駆動輪支持フレームと、前記駆動輪支持フレームを上下方向に移動可能に前記車台本体と接続する４本の連結ロッドと、各前記連結ロッドを被包するように設けられた４つのコイルスプリングとを備え、前記コイルスプリングにより前記駆動輪が下方に押圧された状態となっている請求項１ないし１２のいずれかに記載の作業施設用移動式涼風発生装置。
【請求項１４】
前記駆動輪は、電動式駆動機構として駆動モータを備え、前記自走式車台は、前記車台本体に設けられた回動可能な操舵部を備えている請求項１ないし１３のいずれかに記載の作業施設用移動式涼風発生装置。
【請求項１５】
前記駆動モータ操作部は、モータ駆動ペダルと、前進後退切り替えスイッチを備えている請求項１４に記載の作業施設用移動式涼風発生装置。
【請求項１６】
前記駆動輪は、電動式駆動機構として駆動モータを備え、前記自走式車台は、前記車台本体に設けられた回動可能な操舵輪と、搭乗部を備え、前記搭乗部には、前記操舵輪を転舵するためのハンドルと、前記駆動モータを操作するために駆動モータ操作部が設けられている請求項１ないし１５のいずれかに記載の作業施設用移動式涼風発生装置。
【請求項１７】
前記自走式車台は、前記２つの一端側キャスターが固定された支持部と、前記支持部を前記車台本体に回動可能に固定する回動固定部とを備える一端側キャスター装着体と、前記回動固定部のシャフト部に固定され、前記一端側キャスター装着体を回動操作するためのハンドル部とを有する操舵部と、前記駆動モータを操作するために駆動モータ操作部を備えている請求項１６に記載の作業施設用移動式涼風発生装置。
【請求項１８】
前記自走式車台は、前記２つの他端側キャスターが固定された支持部と、前記支持部を前記車台本体に固定する固定部とを備える他端側キャスター装着体を備えている請求項１７に記載の作業施設用移動式涼風発生装置。
【請求項１９】
前記操舵部は、前記２つの他端側キャスター間に位置する補助操舵輪を備えている請求項１７または１８に記載の作業施設用移動式涼風発生装装置。
【請求項２０】
前記車台本体は、向かい合うように設けられた２つの一端側キャスターと、向かい合うように設けられた２つの他端側キャスターと、向かい合うように設けられた２つの一端側アジャスターと、向かい合うように設けられた２つの他端側アジャスターとを備え、前記駆動輪は、前記２つの一端側キャスターおよび前記２つの他端側キャスター間かつ、前記２つの一端側アジャスターと前記２つの他端側アジャスター間に位置する２つの前記駆動輪と、２つの前記駆動輪に設けられた駆動輪シャフトを備え、前記電動式駆動機構は、前記駆動輪シャフトを回転させるための駆動モータを備えている請求項１ないし１９のいずれかに記載の作業施設用移動式涼風発生装置。
【請求項２１】
前記駆動輪は、手動式駆動機構として、ドライブシャフトと、前記ドライブシャフトを回転させるための手動式シャフト回転機構と、前記駆動輪に設けられた駆動輪シャフトに前記ドライブシャフトに与えられた回転力を伝達する駆動力伝達機構とを備えている請求項１ないし１３のいずれかに記載の作業施設用移動式涼風発生装置。
【請求項２２】
前記手動式シャフト回転機構は、主動スプロケットと、前記主動スプロケットに取り付けられた回転操作用ハンドルと、前記ドライブシャフトに連結された従動スプロケットと、前記主動スプロケットと前記従動スプロケットとを連結し、前記主動スプロケットの回転を前記従動スプロケットに伝達する無端チェーンとを備え、前記駆動力伝達機構は、前記ドライブシャフトに設けられた第１の歯車と、前記駆動輪シャフトに設けられ、前記第１の歯車と噛合する第２の歯車とからなるものである請求項２１に記載の作業施設用移動式涼風発生装置。
【請求項２３】
気化放熱式大型涼風発生機と、前記涼風発生機が搭載された自走式車台とを備える作業施設用移動式涼風発生装置であって、
前記自走式車台は、車台本体を有し、前記車台本体は、向かい合うように設けられた２つの一端側キャスターと、向かい合うように設けられた２つの他端側キャスターと、向かい合うように設けられた２つの一端側アジャスターと、向かい合うように設けられた２つの他端側アジャスターと、電動式駆動機構もしくは手動式駆動機構を備えた駆動輪とを備え、
前記気化放熱式大型涼風発生機は、涼風発生機本体と、前記涼風発生機本体の上面に装着されるとともに、前面側に湾曲した涼風送気ダクトとを備え、前記涼風送気ダクトは、前記涼風発生機本体の上面に左右方向に回動可能に装着されており、かつ、前記涼風送気ダクトの涼風吹出口には、角度変更可能なルーバーを備えており、
さらに、前記気化放熱式涼風発生機本体は、上面に設けられた送風口と、側面に設けられた吸気口とを有するハウジングと、前記吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える冷却ユニットと、前記冷却ユニットの内側かつ前記送風口の下方に設けられ、前記冷却ユニットにより冷却された涼気を前記送風口に送る送風機とを備えていることを特徴とする作業施設用移動式涼風発生装置。
【請求項２４】
前記涼風送気ダクトは、先端部に変形可能部を備え上下方向に変形可能となっている請求項２３に記載の作業施設用移動式涼風発生装置。
【請求項２５】
前記自走式車台は、前記車台本体と前記涼風発生機本間に配置された制震材を備えている請求項２３または２４に記載の作業施設用移動式涼風発生装置。
【請求項２６】
前記車台本体は、前記一端側キャスターと前記他端側キャスター間に位置し、かつ向かい合うように設けられた２つの中央側キャスターとを備え、前記駆動輪は、前記２つの中央側キャスター間に設けられている請求項２３ないし２５のいずれかに記載の作業施設用移動式涼風発生装置。
【請求項２７】
前記自走式車台は、前記２つの一側キャスターが固定された支持部と、前記支持部を前記車台本体に回動可能に固定する回動固定部とを備える一端側キャスター装着体と、前記回動固定部のシャフト部に固定され、前記一端側キャスター装着体を回動操作するためのハンドル部とを有する操舵部と、前記電動式駆動機構としての駆動モータと、前記駆動モータを操作するために駆動モータ操作部を備えている請求項２３ないし２６のいずれかに記載の作業施設用移動式涼風発生装置。
【請求項２８】
前記操舵部は、前記２つの一端側キャスター間に位置する補助操舵輪を備えている請求項２７に記載の作業施設用移動式涼風発生装装置。
【請求項２９】
前記自走式車台は、前記２つの他端側キャスターが固定された支持部と、前記支持部を前記車台本体に固定する固定部とを備える他端側キャスター装着体を備えている請求項２７に記載の作業施設用移動式涼風発生装置。
【請求項３０】
前記自走式車台は、前記駆動輪を支持する駆動輪支持フレームと、前記駆動輪支持フレームを上下方向に移動可能に前記車台本体と接続するとともに、前記駆動輪を取り囲むように配置された４本の連結ロッドと、各前記連結ロッドを被包するように設けられ、かつ、前記駆動輪支持フレームと前記車台本体間により圧縮可能な４つのコイルスプリングを備え、前記コイルスプリングにより前記駆動輪が下方に押圧された状態となっている請求項２３ないし２９のいずれかに記載の作業施設用移動式涼風発生装置。
【請求項３１】
前記駆動輪は、電動式駆動機構として駆動モータを備え、前記自走式車台は、前記車台本体に設けられた回動可能な操舵輪と、搭乗部を備え、前記搭乗部には、前記操舵輪を転舵するためのハンドルと、前記駆動モータを操作するために駆動モータ操作部が設けられており、かつ、前記駆動モータ操作部は、モータ駆動ペダルと、前進後退切り替えスイッチを備えている請求項２３ないし２６のいずれかに記載の作業施設用移動式涼風発生装置。
【請求項３２】
前記駆動輪は、手動式駆動機構として、ドライブシャフトと、前記ドライブシャフトを回転させるための手動式シャフト回転機構と、前記駆動輪に設けられた駆動輪シャフトに前記ドライブシャフトに与えられた回転力を伝達する駆動力伝達機構とを備えており、さらに、前記手動式シャフト回転機構は、主動スプロケットと、前記主動スプロケットに取り付けられた回転操作用ハンドルと、前記ドライブシャフトに連結された従動スプロケットと、前記主動スプロケットと前記従動スプロケットとを連結し、前記主動スプロケットの回転を前記従動スプロケットに伝達する無端チェーンとを備え、前記駆動力伝達機構は、前記ドライブシャフトに設けられた第１の歯車と、前記駆動輪シャフトに設けられ、前記第１の歯車と噛合する第２の歯車とからなるものである請求項２３ないし２６のいずれかに記載の作業施設用移動式涼風発生装置。
【請求項３３】
前記気化放熱式涼風発生機本体は、上面に設けられた送風口と、向かい合う側面に設けられた２つの吸気口とを有するハウジングと、前記一方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第１の冷却ユニットと、前記他方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第２の冷却ユニットと、前記第１の冷却ユニットと前記第２の冷却ユニット間かつ前記送風口の下方に設けられ、前記第１および第２の冷却ユニットにより冷却された涼気を合わせて前記送風口に送る送風機とを備えている請求項２３ないし３２のいずれかに記載の作業施設用移動式涼風発生装置。
【請求項３４】
前記気化放熱式涼風発生機本体は、前記貯留部と連通する水注入ポートおよび水ドレーンポートと、定期的に前記貯留部内の水を排出するためのドレーンポンプを備えている請求項２３ないし３３のいずれかに記載の作業施設用移動式涼風発生装置。
【考案の詳細な説明】
【技術分野】
【０００１】
本考案は、室内に加熱装置等を設置した工場施設、食品工場や精密機器工場などクリーンな空気環境が求められる施設等に用いられ、十分な送風量を備える作業施設用移動式涼風発生装置に関するものである。
【背景技術】
【０００２】
従来より、移動可能な冷風装置、例えば、特開平５−１８２９号公報（特許文献１）、特許２５０８７３９号公報（特許文献２）などのいわゆるスポットクーラと呼ばれるものが提案されている。
【先行技術文献】
【特許文献】
【０００３】
【特許文献１】特開平５−１８２９号公報
【特許文献２】特許２５０８７３９号公報
【考案の概要】
【考案が解決しようとする課題】
【０００４】
加熱装置等を設置した工場施設、食品工場や精密機器工場などクリーンな空気環境が求められる施設等において、特に、夏季における作業環境を改善するために、専用の空調設備が用いられている。
しかし、平成２３年３月１１日に発生した東日本大地震の影響により、夏季における消費電力が大きな問題となっており、専用の空調設備では、大きな電力を必要とするため、工場自体の操業の停止が余儀なくされる自体となりつつある。
そこで、上記特許文献１および特許文献２のような局所的な冷風装置ではなく、より大型、すなわち大風量の涼風を送気できかつ空調設備より電力消費が少ないものが必要であることを本願考案者が知見した。
しかし、大型の涼風発生装置を工場に設置するには、設置場所での所定の作業が必要になるとともに、設置後の設置位置変更が困難であり、不使用時期には、設置場所付近の活用が不能となる。
そこで、本願考案の目的は、大型気化放熱式涼風発生機を用い、作業環境を空調設備に比べて低消費電力により、作業施設内の体感温度を低下させることができ、かつ、任意の設置場所までの移動、設置場所での安定的な設置、さらには、再度の移動が容易であり、かつ、設置後の涼風送気方向の調整も可能な作業施設用移動式涼風発生装置を提供するものである。
【課題を解決するための手段】
【０００５】
上記目的を達成するものは、以下のものである。
（１）  気化放熱式大型涼風発生機と、前記涼風発生機が搭載された自走式車台とを備える作業施設用移動式涼風発生装置であって、前記自走式車台は、車台本体を有し、前記車台本体は、複数のキャスターと、電動式駆動機構もしくは手動式駆動機構を備えた駆動輪と、前記涼風発生装置を固定維持するための複数のアジャスターとを備え、前記気化放熱式大型涼風発生機は、涼風発生機本体と、前記涼風発生機本体の上面に装着されるとともに、前面側に湾曲した涼風送気ダクトとを備え、前記涼風送気ダクトは、前記送気ダクトの先端に位置する涼風吹出口より吹き出される涼風の少なくとも左右方向の向きを調整可能となっている作業施設用移動式涼風発生装置。
【０００６】
（２）  前記車台本体は、向かい合うように設けられた２つの一端側キャスターと、向かい合うように設けられた２つの他端側キャスターと、向かい合うように設けられた２つの一端側アジャスターと、向かい合うように設けられた２つの他端側アジャスターとを備えている（１）に記載の作業施設用移動式涼風発生装置。
（３）  前記涼風送気ダクトは、前記送気ダクトの先端に位置する涼風吹出口より吹き出される涼風の上下方向の向きおよび左右方向の向きを調整可能となっている（１）または（２）に記載の作業施設用移動式涼風発生装置。
（４）  前記涼風送気ダクトは、前記涼風発生機本体の上面に左右方向に回動可能に装着されている（１）ないし（３）のいずれかに記載の作業施設用移動式涼風発生装置。
（５）  前記涼風送気ダクトは、先端部に少なくとも上下方向に変形可能な変形可能部を備えている（１）ないし（４）のいずれかに記載の作業施設用移動式涼風発生装置。
（６）  前記涼風送気ダクトは、前記涼風吹出口に設けられた角度変更可能なルーバーを備えている（１）ないし（５）のいずれかに記載の作業施設用移動式涼風発生装置。
（７）  前記涼風送気ダクトは、前記涼風発生機本体の上面に左右方向に回動可能に装着されており、かつ、先端部に蛇腹状の変形可能部を備え上下方向に変形可能となっており、さらに、前記涼風吹出口には、左右方向角度変更可能なルーバーを備えている（１）ないし（６）のいずれかに記載の作業施設用移動式涼風発生装置。
（８）  前記気化放熱式涼風発生機本体は、上面に設けられた送風口と、側面に設けられた吸気口とを有するハウジングと、前記吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える冷却ユニットと、前記冷却ユニットの内側かつ前記送風口の下方に設けられ、前記冷却ユニットにより冷却された涼気を前記送風口に送る送風機とを備えている（１）ないし（７）のいずれかに記載の作業施設用移動式涼風発生装置。
【０００７】
（９）  前記気化放熱式涼風発生機本体は、上面に設けられた送風口と、向かい合う側面に設けられた２つの吸気口とを有するハウジングと、前記一方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第１の冷却ユニットと、前記他方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第２の冷却ユニットと、前記第１の冷却ユニットと前記第２の冷却ユニット間かつ前記送風口の下方に設けられ、前記第１および第２の冷却ユニットにより冷却された涼気を合わせて前記送風口に送る送風機とを備えている（１）ないし（８）のいずれかに記載の作業施設用移動式涼風発生装置。
（１０）  前記気化放熱式涼風発生機本体は、前記貯留部と連通する水注入ポートおよび水ドレーンポートと、定期的に前記貯留部内の水を排出するためのドレーンポンプを備えている（８）または（９）に記載の作業施設用移動式涼風発生装置。
（１１）  前記作業施設用移動式涼風発生装置は、前記自走式車台と前記涼風発生機本間に配置された制震材を備えている（１）ないし（１０）のいずれかに記載の作業施設用移動式涼風発生装置。
（１２）  前記車台本体は、向かい合うように設けられた２つの一端側キャスターと、向かい合うように設けられた２つの他端側キャスターと、前記一端側キャスターと前記他端側キャスター間に位置し、かつ向かい合うように設けられた２つの中央側キャスターとを備え、前記駆動輪は、前記２つの中央側キャスター間に設けられており、さらに、前記車台本体は、向かい合うように設けられた２つの一端側アジャスターと、向かい合うように設けられた２つの他端側アジャスターとを備えている（１）ないし（１１）のいずれかに記載の作業施設用移動式涼風発生装置。
（１３）  前記自走式車台は、前記駆動輪を支持する駆動輪支持フレームと、前記駆動輪支持フレームを上下方向に移動可能に前記車台本体と接続する４本の連結ロッドと、各前記連結ロッドを被包するように設けられた４つのコイルスプリングとを備え、前記コイルスプリングにより前記駆動輪が下方に押圧された状態となっている（１）ないし（１２）のいずれかに記載の作業施設用移動式涼風発生装置。
（１４）  前記駆動輪は、電動式駆動機構として駆動モータを備え、前記自走式車台は、前記車台本体に設けられた回動可能な操舵部を備えている（１）ないし（１３）のいずれかに記載の作業施設用移動式涼風発生装置。
（１５）  前記駆動モータ操作部は、モータ駆動ペダルと、前進後退切り替えスイッチを備えている（１４）に記載の作業施設用移動式涼風発生装置。
【０００８】
（１６）  前記駆動輪は、電動式駆動機構として駆動モータを備え、前記自走式車台は、前記車台本体に設けられた回動可能な操舵輪と、搭乗部を備え、前記搭乗部には、前記操舵輪を転舵するためのハンドルと、前記駆動モータを操作するために駆動モータ操作部が設けられている（１）ないし（１５）のいずれかに記載の作業施設用移動式涼風発生装置。
（１７）  前記自走式車台は、前記２つの一端側キャスターが固定された支持部と、前記支持部を前記車台本体に回動可能に固定する回動固定部とを備える一端側キャスター装着体と、前記回動固定部のシャフト部に固定され、前記一端側キャスター装着体を回動操作するためのハンドル部とを有する操舵部と、前記駆動モータを操作するために駆動モータ操作部を備えている（１６）に記載の作業施設用移動式涼風発生装置。
（１８）  前記自走式車台は、前記２つの他端側キャスターが固定された支持部と、前記支持部を前記車台本体に固定する固定部とを備える他端側キャスター装着体を備えている（１７）に記載の作業施設用移動式涼風発生装置。
（１９）  前記操舵部は、前記２つの他端側キャスター間に位置する補助操舵輪を備えている（１７）または（１８）に記載の作業施設用移動式涼風発生装装置。
（２０）  前記車台本体は、向かい合うように設けられた２つの一端側キャスターと、向かい合うように設けられた２つの他端側キャスターと、向かい合うように設けられた２つの一端側アジャスターと、向かい合うように設けられた２つの他端側アジャスターとを備え、前記駆動輪は、前記２つの一端側キャスターおよび前記２つの他端側キャスター間かつ、前記２つの一端側アジャスターと前記２つの他端側アジャスター間に位置する２つの前記駆動輪と、２つの前記駆動輪に設けられた駆動輪シャフトを備え、前記電動式駆動機構は、前記駆動輪シャフトを回転させるための駆動モータを備えている（１）ないし（１９）のいずれかに記載の作業施設用移動式涼風発生装置。
（２１）  前記駆動輪は、手動式駆動機構として、ドライブシャフトと、前記ドライブシャフトを回転させるための手動式シャフト回転機構と、前記駆動輪に設けられた駆動輪シャフトに前記ドライブシャフトに与えられた回転力を伝達する駆動力伝達機構とを備えている（１）ないし（１３）のいずれかに記載の作業施設用移動式涼風発生装置。
（２２）  前記手動式シャフト回転機構は、主動スプロケットと、前記主動スプロケットに取り付けられた回転操作用ハンドルと、前記ドライブシャフトに連結された従動スプロケットと、前記主動スプロケットと前記従動スプロケットとを連結し、前記主動スプロケットの回転を前記従動スプロケットに伝達する無端チェーンとを備え、前記駆動力伝達機構は、前記ドライブシャフトに設けられた第１の歯車と、前記駆動輪シャフトに設けられ、前記第１の歯車と噛合する第２の歯車とからなるものである（２１）に記載の作業施設用移動式涼風発生装置。
【０００９】
（２３）  気化放熱式大型涼風発生機と、前記涼風発生機が搭載された自走式車台とを備える作業施設用移動式涼風発生装置であって、前記自走式車台は、車台本体を有し、前記車台本体は、向かい合うように設けられた２つの一端側キャスターと、向かい合うように設けられた２つの他端側キャスターと、向かい合うように設けられた２つの一端側アジャスターと、向かい合うように設けられた２つの他端側アジャスターと、電動式駆動機構もしくは手動式駆動機構を備えた駆動輪とを備え、 前記気化放熱式大型涼風発生機は、涼風発生機本体と、前記涼風発生機本体の上面に装着されるとともに、前面側に湾曲した涼風送気ダクトとを備え、前記涼風送気ダクトは、前記涼風発生機本体の上面に左右方向に回動可能に装着されており、かつ、前記涼風送気ダクトの涼風吹出口には、角度変更可能なルーバーを備えており、さらに、前記気化放熱式涼風発生機本体は、上面に設けられた送風口と、側面に設けられた吸気口とを有するハウジングと、前記吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える冷却ユニットと、前記冷却ユニットの内側かつ前記送風口の下方に設けられ、前記冷却ユニットにより冷却された涼気を前記送風口に送る送風機とを備えている作業施設用移動式涼風発生装置。
【考案の効果】
【００１０】
本考案の作業施設用移動式涼風発生装置は、気化放熱式大型涼風発生機と、涼風発生機が搭載された自走式車台とを備え、自走式車台は、車台本体を有し、車台本体は、複数のキャスターと、電動式駆動機構もしくは手動式駆動機構を備えた駆動輪と、涼風発生装置を固定維持するための複数のアジャスターとを備え、気化放熱式大型涼風発生機は、涼風発生機本体と、涼風発生機本体の上面に装着された涼風送気ダクトとを備え、涼風送気ダクトは、送気ダクトの先端に位置する涼風吹出口より吹き出される涼風の少なくとも左右方向の向きを調整可能となっている。
このため、この作業施設用移動式涼風発生装置は、気化放熱式大型涼風発生機を用いているが、駆動輪を駆動させることにより、自走可能であり、設置場所への配置作業が容易である。また、アジャスターを備えることにより、設置場所での安定した設置状態を保持できる。さらに、再度の移動、また、不使用時期での撤去作業も可能である。そして、気化放熱式大型涼風発生機を用いているので、通常の空調設備に比べて消費電力が少なく、かつ、空気環境の悪化もなく、設置後の涼風送気方向の調整も可能であるため、作業施設内の作業者の位置変更への対応も可能であり、作業者の体感温度を確実に低下させることができる。
【図面の簡単な説明】
【００１１】
【図１】図１は、本考案の実施例の作業施設用移動式涼風発生装置の正面図である。
【図２】図２は、図１に示した作業施設用移動式涼風発生装置の背面図である。
【図３】図３は、図１に示した作業施設用移動式涼風発生装置の左側面図である。
【図４】図４は、図１に示した作業施設用移動式涼風発生装置の右側面図である。
【図５】図５は、図１に示した作業施設用移動式涼風発生装置に用いられている自走式車台を説明するための説明図である。
【図６】図６は、図１に示した作業施設用移動式涼風発生装置に用いられている気化放熱式大型涼風発生機を説明するための説明図である。
【図７】図７は、図１に示した作業施設用移動式涼風発生装置に用いられている自走式車台の駆動輪付近の機構を説明するための説明図である。
【図８】図８は、図１に示した作業施設用移動式涼風発生装置に用いられている自走式車台の駆動輪付近の機構を説明するための説明図である。
【図９】図９は、本考案の他の実施例の作業施設用移動式涼風発生装置の正面図である。
【図１０】図１０は、図９に示した作業施設用移動式涼風発生装置の左側面図である。
【図１１】図１１は、図９に示した作業施設用移動式涼風発生装置に用いられている自走式車台を説明するための説明図である。
【図１２】図１２は、本考案の他の実施例の作業施設用移動式涼風発生装置の正面図である。
【図１３】図１３は、図１２に示した作業施設用移動式涼風発生装置の左側面図である。
【図１４】図１４は、図１２に示した作業施設用移動式涼風発生装置に用いられている自走式車台を説明するための説明図（底面図）である。
【図１５】図１５は、図１２に示した作業施設用移動式涼風発生装置に用いられている自走式車台の作用を説明するための説明図である。
【考案を実施するための形態】
【００１２】
本考案の作業施設用移動式涼風発生装置を図面に示した実施例を用いて説明する。
本考案の作業施設用移動式涼風発生装置１は、気化放熱式大型涼風発生機２と、涼風発生機２が搭載された自走式車台３とを備える。自走式車台３は、車台本体６を有し、車台本体６は、複数のキャスター３２，３３，３４，３５，３７，３８と、電動式駆動機構もしくは手動式駆動機構を備えた駆動輪３６と、涼風発生装置１を固定維持するための複数のアジャスター８１，８２，８３，８４とを備える。気化放熱式大型涼風発生機２は、涼風発生機本体４と、涼風発生機本体４の上面に装着された涼風送気ダクト５とを備え、涼風送気ダクト５は、送気ダクト５の先端に位置する涼風吹出口５１より吹き出される涼風の少なくとも左右方向の向きを調整可能となっている。
【００１３】
本考案の作業施設用移動式涼風発生装置１は、図１ないし図４に示すように、気化放熱式大型涼風発生機２と、涼風発生機２を搭載するための自走式車台３とからなる。
気化放熱式大型涼風発生機２は、涼風発生機本体４と、涼風発生機本体４の上面に装着された涼風送気ダクト５とを備えている。
涼風送気ダクト５は、送気ダクト５の先端に位置する涼風吹出口５１より吹き出される涼風の少なくとも左右方向の向きを調整可能となっている。特に、この実施例の涼風送気ダクト５では、送気ダクト５の先端に位置する涼風吹出口５１より吹き出される涼風の上下方向の向きおよび左右方向の向きを調整可能となっている。このため、作業者の作業位置に対応した送風方向の調製が可能となっている。また、送気ダクトは、涼風発生機本体４の前面ではなく、上面に設けられるとともに、前面側に湾曲したものとなっており、涼風吹出口が、涼風発生機本体４より高い位置となっているため、より遠くに涼風を送気可能である。
【００１４】
そして、この実施例のものでは、図１、図３、図４および図６に示すように、涼風送気ダクト５は、涼風発生機本体４の上面に左右方向に回動可能に装着されている。具体的には、図６に示すように、涼風発生機本体４の上面に設けられた送風口４１と連通する筒状のダクト本体５０と、涼風発生機本体４の上面に設けられたリング状部材５２と、リング状部材５２の上面側を被嵌するリング状固定部材５２ａとを備えており、リング状部材５２とリング状固定部材５２ａ間に、ダクト本体５０の基端部に設けられたフランジ部が回動可能に収納されている。
さらに、この実施例のものでは、涼風送気ダクト５は、先端部に少なくとも上下方向に変形可能な変形可能部５３を備えている。このため、涼風吹出口５１より吹き出される涼風の上下方向の向きを容易に調製可能となっている。図３および図４に示すものでは、涼風吹出口５１より吹き出される涼風の向きは、若干下向きに調製された状態となっている。
【００１５】
さらに、この実施例のものでは、涼風送気ダクト５は、涼風吹出口５１に設けられた角度変更可能なルーバー５４を備えている。このため、より、容易に涼風の向きを調製可能である。また、ルーバー５４は、複数の個々に調整可能な板状部を備えており、涼風の向きを部分的に異なるものにも調製可能となっている。
特に、この実施例のものでは、涼風送気ダクト５は、涼風発生機本体４の上面に左右方向に回動可能に装着されており、かつ、先端部に蛇腹状の変形可能部５３を備え上下方向に変形可能となっており、さらに、涼風吹出口５１には、左右方向角度変更可能なルーバー５４を備えるものとなっている。このため、涼風の吹き出し向きをかなりの自由度を持って調整可能なものとなっている。
【００１６】
そして、図６に示すように、この実施例にて用いられている気化放熱式涼風発生機本体４は、上面に設けられた送風口４１と、側面に設けられた吸気口とを有するハウジング４０と、吸気口の内側に配設され、下部に水を貯留するための貯留部４９を有する通気性収納部４４と、通気性収納部４４内に収納され、貯留部４９の水を散水パイプ４６に供給するための循環ポンプ４７と、散水パイプ４６によって散水された水の膜を形成する冷却エレメント４５とを備える冷却ユニット４３と、冷却ユニット４３の内側かつ送風口４１の下方に設けられ、冷却ユニット４３により冷却された涼気を送風口４１に送る送風機２１とを備えている。
【００１７】
特に、この実施例の気化放熱式涼風発生機本体４は、図６に示すように、２つの冷却ユニットを備えている。具体的には、気化放熱式涼風発生機本体４は、上面に設けられた送風口４１と、向かい合う側面に設けられた２つの吸気口とを有するハウジング４０と、一方の吸気口の内側に配設され、下部に水を貯留するための貯留部４９を有する通気性収納部４４と、通気性収納部４４内に収納され、貯留部４９の水を散水パイプ４６に供給するための循環ポンプ４７と、散水パイプ４６によって散水された水の膜を形成する冷却エレメント４５とを備える第１の冷却ユニット４３ａと、他方の吸気口の内側に配設され、下部に水を貯留するための貯留部４９を有する通気性収納部４４と、通気性収納部４４内に収納され、貯留部４９の水を散水パイプ４６に供給するための循環ポンプ４７と、散水パイプ４６によって散水された水の膜を形成する冷却エレメント４５とを備える第２の冷却ユニット４３ｂと、第１の冷却ユニット４３ａと第２の冷却ユニット４３ｂ間かつ送風口４１の下方に設けられ、第１の冷却ユニット４３ａおよび第２の冷却ユニット４３ｂにより冷却された涼気を合わせて送風口４１に送る送風機２１とを備えている。
このような気化放熱式涼風発生機本体４では、送風機２１が作動することにより、吸気口より外気を発生機本体内に吸引し、吸引した外気が冷却ユニットの水と接触し、冷却ユニットを通過することにより、冷却され、涼気となる。そして、涼気は、送風口４１に送られ、ダクト５を通り、涼風吹出口５１より吹き出される。涼気化放熱式涼風発生機本体４は、冷却ユニットを有するため、良好な涼気を内部にて作成でき、かつ、確実に送風ダクトに送気することができる。また、２つの冷却ユニットを有するものでは、より多くの涼気を内部に作成することができる。
【００１８】
さらに、この実施例の気化放熱式涼風発生機本体４は、背面に、貯留部４９と連通する水注入ポート２６および水ドレーンポート２７を備えている、さらに、各冷却ユニット４３ａ，４３ｂ内には、定期的に貯留部４９内の水を排出するためのドレーンポンプ（図示せず）を備えている。このため、貯留される水を清浄な状態のものとすることができる。
さらに、この実施例の気化放熱式涼風発生機本体４は、吸気口に設けられた吸気ルーバーパネル４２を備えている。また、吸気ルーバーパネル４２と冷却ユニット４３間には、冷却ユニット前フィルタ２８が配置されている。さらに、冷却ユニット４３と送風機２１間に位置する冷却ユニット後フィルタ４８を備えている、そして、送風機２１は、シロッコファン２３とそれを回転させるためのモータ２２を備えている。モータ２２とシロッコファン２３の回転軸に固定されたプーリー２５は、ベルト２４により連結されている。シロッコファンを用いることにより、多くの涼気を送気可能となっている。
【００１９】
そして、自走式車台３は、図１ないし図５に示すように、車台本体６と、車台本体６に搭載固定された基台７と、基台７の上面に配置された制震材７７とからなる。
車台本体６は、図５に示すように、向かい合う２本の基体フレーム６１，６２と、２本の基体フレーム６１，６２を連結する２本の連結フレーム６３，６４と、基体フレーム６１，６２の先端部に固定された向かい合う２本の起立フレーム６７，６８と、２本の起立フレーム６７，６８の上端部に固定されたバー６９と、２本の起立フレーム６７，６８の中間部を連結する補強フレームと、２本の基体フレーム６１，６２の先端部間を埋めるように取り付けられた搭乗部６５と、搭乗部より若干他端側部分に２本の基体フレーム６１，６２間を埋めるように取り付けられた載置板６６を備えている。そして、電源部８６は、載置板６６に載置され固定されている。
そして、車台本体６の上には、気化放熱式大型涼風発生機２を搭載するために基台７が載置固定されている。基台７は、ロの字型の基台フレーム７０と、基台フレーム７０の角部底面に設けられた４本の脚部７１，７２．７３，７４を備えている。そして、基台フレーム７０の上面には、制震材７７が配置されている。
制震材７７としては、シリコン系粘弾性体、ジエン系粘弾性体、イソプレンゴム（ＩＲ）系粘弾性体、天然ゴム、スチレンブタジエンゴム、ブタジエンゴム、イソプレンゴム、ニトリルゴム、クロロプレンゴムなどにより平板状に形成したものが使用される。
また、制震材７７を貫通する締結具（図示せず）により、気化放熱式大型涼風発生機２のハウジング４０の底部は、基台フレーム７０に固定されている。よって、気化放熱式大型涼風発生機２と基台フレーム７０間に、制震材７７が介在するものとなっており、気化放熱式大型涼風発生機２の作動時の振動の自走式車台３への伝達を減少させている。
【００２０】
さらに、車台本体６は、向かい合うように設けられた２つの一端側キャスター３２，３３と、向かい合うように設けられた２つの他端側キャスター３４，３５と、一端側キャスター３２，３３と他端側キャスター３４，３５間に位置し、かつ向かい合うように設けられた２つの中央側キャスター３７，３８とを備え、駆動輪３６は、２つの中央側キャスター３７，３８間に設けられており、さらに、車台本体６は、向かい合うように設けられた２つの一端側アジャスター８１，８２と、向かい合うように設けられた２つの他端側アジャスター８３，８４とを備えている。
具体的には、基体フレーム６１、６２の一端より、若干基端側であり、基台７の一端側脚部７１，７２の下方付近となる位置に設けられた向かい合う２つの一端側キャスター３２，３３と、基体フレーム６１、６２の他端部付近であり、かつ、基台７の他端側脚部７３，７４の下方付近となる位置に設けられた向かい合う２つの２つの他端側キャスター３４，３５と、一端側キャスター３２，３３と他端側キャスター３４，３５間に位置し、かつ向かい合うように設けられた２つの中央側キャスター３７，３８とを備えている。このため、安定した良好な移動を可能としている。
【００２１】
さらに、車台本体６は、向かい合うように設けられた２つの一端側アジャスター８１，８２と、向かい合うように設けられた２つの他端側アジャスター８３，８４とを備えている。具体的には、２つの一端側アジャスター８１，８２は、一端側キャスター３２，３３と中央側キャスター３７，３８間に設けられており、２つの他端側アジャスター８３，８４は、他端側キャスター３４，３５と中央側キャスター３７，３８間に位置するように設けられている。このため、設置位置に作業施設用移動式涼風発生装置１を配置した後、４つのアジャスターを用いることにより、安定した設置位置での固定を可能としている。
【００２２】
さらに、この実施例では、自走式車台３は、駆動輪３６を２つの中央側キャスター３７，３８間となるように設けている。このため、良好な駆動輪の回転を可能としている。また、この実施例では、駆動輪３６は、電動式駆動機構として、駆動モータ３９を備えている。特に、この実施例では、駆動輪３６の駆動輪シャフトに駆動モータ３９の回転軸が、連結されており、駆動モータ３９によりダイレクトに駆動輪が回転するものとなっている。なお、電動式駆動機構としては、このようなものに限定されるものではなく、駆動モータの回転軸と駆動輪シャフトとを駆動力伝達機構、例えば、歯車（具体的には、傘歯車）により連結したものであってもよい。
そして、車台本体６は、図７および図８に示すように、駆動輪ユニットを保持するための保持フレームを備えている。保持フレームは、基体フレーム６１、６２を中央側キャスター３７，３８の前後にて、連結する保持用連結フレーム９１，９２と、保持用連結フレーム９１，９２間を橋架けするように設けられた２本のサスペンション用フレーム９３，９４とを備えている。
【００２３】
自走式車台３は、具体的には、駆動モータを備えた駆動輪ユニットは、図７および図８に示すように、駆動輪３６とともに駆動モータ３９を支持する駆動輪支持フレーム９０と、駆動輪支持フレーム９０を上下方向に移動可能に車台本体６（具体的には、サスペンション用フレーム９３，９４）と接続する少なくとも２本の連結ロッド１０１，１０２，１０３，１０４と、駆動輪支持フレーム９０と車台本体６間（具体的には、サスペンション用フレーム９３，９４間）に配置された圧縮可能なばね部材１１１，１１２，１１３，１１４とを備え、ばね部材１１１，１１２，１１３，１１４により駆動輪３６が下方に押圧された状態となっている。特に、この実施例では、ばね部材１１１，１１２，１１３，１１４は、コイルスプリングであり、車台本体６は、駆動輪３６を取り囲むように配置された４本の連結ロッド１０１，１０２，１０３，１０４と、各連結ロッド１０１，１０２，１０３，１０４を被包するように設けられた４つのコイルスプリング１１１，１１２，１１３，１１４を備えている。このような駆動輪ユニットは、サスペンション機構を有するため、良好な駆動（回転）が可能となっている。
【００２４】
さらに、自走式車台３は、図１に示すように、車台本体６に設けられた回動可能な操舵輪３１と、搭乗部６５を備え、搭乗部６５には、操舵輪３１を転舵するためのハンドル８５と、駆動モータ３９を操作するために駆動モータ操作部とを備えている。この実施例では、駆動モータ操作部は、モータ駆動ペダル８８と、前進後退切り替えスイッチ８７を備えている。このため、搭乗部６５に作業者が搭乗した状態にて、自走可能となっており、目的配置位置への移動作業を良好に行うことが可能である。
具体的には、図１、図３および図５に示すように、車台本体６は、向かい合う２本の基体フレーム６１，６２の先端部にて基体フレーム６１，６２を連結する操舵輪固定用フレーム７８を備えている。そして、この操舵輪固定用フレーム７８の下面に左右方向（水平方向）に回動可能な操舵輪３１が固定されている。具体的には、操舵輪保持部材３１ａは、操舵輪固定用フレーム７８の下面に取り付けられるとともに、左右方向（水平方向）に回動可能な回動可能部を備える。また、操舵輪３１は、操舵輪保持部材に前後方向に回転可能に保持されている。さらに、操舵輪保持部材３１ａの回動可能部には、操舵輪固定用フレーム７８を貫通して延びるシャフト８９が連結されており、シャフト８９の端部には、ハンドル８５が取り付けられている。このため、ハンドル８５を左右方向（水平方向）に動かすことにより、操舵輪３１を左右に回動可能となっている。
【００２５】
なお、上述したキャスター３２，３３，３４，３５，３７，３８も、車輪と、車輪保持部材とにより構成されており、車輪保持部材は、車台本体６（具体的には、基体フレーム６１，６２）の下面に固定されており、かつ、車輪保持部材は、左右方向に回動可能な回動可能部を備えている。
また、図５に示すように、載置板６６上には、電源部８６を備えており、この電源部８６は、駆動モータ３９，モータ駆動ペダル８８、前進後退切り替えスイッチ８７と電気的に接続されている。また、電源部８６は、着脱式バッテリー（図示せず）と、モータ制御機能を備えている。そして、前進後退切り替えスイッチ８７を前進側にセットし、モータ駆動ペダル８８を踏むことにより、駆動モータ３９が駆動し、作業施設用移動式涼風発生装置１は、前進（気化放熱式大型涼風発生機２の左側面方向に進行）し、ハンドルを操作することにより、進行方向を変更可能である。また、前進後退切り替えスイッチ８７を後退側にセットし、モータ駆動ペダル８８を踏むことにより、駆動モータ３９が駆動し、作業施設用移動式涼風発生装置１は、後退（気化放熱式大型涼風発生機２の右側面方向に進行）する。そして、設置位置に作業施設用移動式涼風発生装置を到達させた後、４つのアジャスタを若干下方に下げ、接地させ、作業施設用移動式涼風発生装置をがたつかない安定した状態とする。
【００２６】
次に、図９および図１０に示す本考案の他の実施例の作業施設用移動式涼風発生装置１０について説明する。
図９は、本考案の他の実施例の作業施設用移動式涼風発生装置の正面図である。図１０は、図９に示した作業施設用移動式涼風発生装置の左側面図である。図１１は、図９に示した作業施設用移動式涼風発生装置に用いられている自走式車台を説明するための説明図である。
この実施例の作業施設用移動式涼風発生装置１０と上述した作業施設用移動式涼風発生装置１との相違は、駆動輪３６の駆動機構と、操舵輪および搭乗部を備えない点のみである。その他の構成は、同じであり、同じ符号を付し、上述した説明を参照するものとする。
【００２７】
この実施例の作業施設用移動式涼風発生装置１０では、自走式車台３０の車台本体６０に設けられた駆動輪３６には、手動式駆動機構が設けられている。
特に、この実施例のものでは、手動式駆動機構は、図９ないし図１１に示すように、ドライブシャフト１１と、ドライブシャフト１１を回転させるための手動式シャフト回転機構と、駆動輪３６に設けられた駆動輪シャフト１８にドライブシャフト１１に与えられた回転力を伝達する駆動力伝達機構１９とを有している。
具体的には、この実施例のものでは、手動式シャフト回転機構として、主動スプロケット１４と、主動スプロケット１４に取り付けられた回転操作用ハンドル１５と、ドライブシャフト１１に連結された従動スプロケット１２と、主動スプロケット１４と従動スプロケット１２とを連結し、主動スプロケット１４の回転を従動スプロケット１２に伝達する無端チェーン１３と、主動スプロケット１４、従動スプロケット１２および無端チェーン１３を収納する駆動機構ハウジング１６を有している。
また、この実施例のものでは、図９ないし図１１に示すように、駆動力伝達機構１９は、ドライブシャフト１１の端部に設けられた第１の歯車１９ａと、駆動輪シャフト１８に設けられ、第１の歯車１９ａと噛合する第２の歯車１９ｂとにより構成されている。また、この実施例では、第１の歯車１９ａおよび第２の歯車１９ｂは、傘歯車となっている。
【００２８】
また、図９ないし図１１に示すように、駆動力伝達機構を備えた駆動輪ユニットは、特に、図１１に示すように、駆動輪３６を駆動力伝達機構とともに、支持する駆動輪支持フレーム９０と、駆動輪支持フレーム９０を上下方向に移動可能に車台本体６（具体的には、サスペンション用フレーム９３，９４）と接続する少なくとも２本の連結ロッド１０１，１０２，１０３，１０４と、駆動輪支持フレーム９０と車台本体６間（具体的には、サスペンション用フレーム９３，９４間）に配置された圧縮可能なばね部材１１１，１１２，１１３，１１４とを備え、ばね部材１１１，１１２，１１３，１１４により駆動輪３６が下方に押圧された状態となっている。特に、この実施例では、ばね部材１１１，１１２，１１３，１１４は、コイルスプリングであり、車台本体６は、駆動輪３６を取り囲むように配置された４本の連結ロッド１０１，１０２，１０３，１０４と、各連結ロッド１０１，１０２，１０３，１０４を被包するように設けられた４つのコイルスプリング１１１，１１２，１１３，１１４を備えている。このような駆動輪ユニットは、サスペンション機構を有するため、良好な駆動（回転）が可能となっている。
【００２９】
また、図９ないし図１１に示すように、この実施例の作業施設用移動式涼風発生装置１０では、回転操作用ハンドル１５側の基台フレーム７０には、向かい合うように２本の延出フレーム１０５，１０６が設けられており、さらに、延出フレーム１０５，１０６の上端間を連結するバー１０８が設けられている。
そして、作業施設用移動式涼風発生装置１０は、回転操作用ハンドル１５を図１０における右方向に回転させると、主動スプロケット１４、無端チェーン１３，従動スプロケット１２が右回転し、ドライブシャフト１１も右回転する。ドライブシャフト１１の回転は、第１の歯車１９ａおよびそれと噛合する第２の歯車１９ｂとにより、駆動輪シャフト１８に伝達され、駆動輪３６が回転し、作業施設用移動式涼風発生装置１０は、前進（気化放熱式大型涼風発生機２の右側方向に進行）する。また、回転操作用ハンドル１５を図１０における左方向に回転させると、作業施設用移動式涼風発生装置１０は、後退（気化放熱式大型涼風発生機２の左側面方向に進行）する。そして、設置位置に作業施設用移動式涼風発生装置を到達させた後、４つのアジャスタを若干下方に下げ、接地させ、作業施設用移動式涼風発生装置をがたつかない安定した状態とする。
【００３０】
次に、図１２ないし図１４に示す本考案の他の実施例の作業施設用移動式涼風発生装置１００について説明する。
図１２は、本考案の他の実施例の作業施設用移動式涼風発生装置の正面図である。図１３は、図１２に示した作業施設用移動式涼風発生装置の左側面図である。図１４は、図１２に示した作業施設用移動式涼風発生装置に用いられている自走式車台を説明するための説明図（自走式車台の底面図）である。図１５は、図１２に示した作業施設用移動式涼風発生装置に用いられている自走式車台の作用をを説明するための説明図である。
この実施例の作業施設用移動式涼風発生装置１００と上述した作業施設用移動式涼風発生装置１との相違は、自走式車台の構成のみであり、気化放熱式大型涼風発生機２は、上述したものと同じである。
【００３１】
この実施例の作業施設用移動式涼風発生装置１００では、自走式車台１３０は、図１２ないし図１４に示すように、車台本体１６０と、車台本体１６０の上面に配置された制震材７７とからなる。
車台本体１６０は、図１４に示すように、向かい合う２本の基体フレーム６１，６２と、２本の基体フレーム６１，６２を連結する２本の連結フレーム６３，６４とを備えている。
さらに、自走式車台１３０は、２つの一端側キャスター１３３，１３４が固定された支持部１４１と、支持部１４１を車台本体１６０（具体的には、連結フレーム６４）に回動可能に固定する回動固定部１４４とを備える一端側キャスター装着体１４０と、回動固定部１４４のシャフト部１４５に固定され、一端側キャスター装着体１４０を回動操作するためのハンドル部１４６とを有する操舵部１５０を備えている。さらに、操舵部１５０のハンドル部１４６の上部棒状部１４６ａには、駆動モータ３９を操作するために駆動モータ操作部１４７を備えている。さらに、この自走式車台１３０では、図１２ないし図１４に示すように、操舵部１５０は、操舵部１５０（具体的には、支持部１４１）に固定されかつ、２つの一端側キャスター１３３，１３４間に位置する補助操舵輪１４８を備えている。
【００３２】
操舵部１５０は、車台本体１６０（具体的には、連結フレーム６４）に、図１５に示すように、左右方向（水平方向）に回動可能となっており、これにより、一端側キャスター装着体１４０の向き（一端側キャスター１３３，１３４の向き）、補助操舵輪１４８の向きを変更可能となっている。このため、操舵部１５０（具体的には、ハンドル部１４６）を操作することにより、作業施設用移動式涼風発生装置１００の進行方向が変更できる。
さらに、この自走式車台１３０では、図１２ないし図１４に示すように、２つの他端側キャスター１３１，１３２が固定された支持部１３５と、支持部１３５を車台本体（具体的には、連結フレーム６１）に固定（回動不能に固定）する固定部１３６とを備える他端側キャスター装着体１７０を備えている。
【００３３】
そして、この実施例の車台１３０においても、他端側キャスター装着体１７０より若干一端側となる位置の基体フレーム６１，６２の下面には、向かい合うように２つの他端側アジャスター１８３，１８４が固定されている。また、一端側キャスター装着体１４０より若干他端側となる位置の基体フレーム６１，６２の下面には、向かい合うように２つの一端側アジャスター１８１，１８２が固定されている。このため、設置位置に作業施設用移動式涼風発生装置１００を配置した後、４つのアジャスターを用いることにより、安定した設置位置での固定を可能としている。
そして、この自走式車台１３０では、駆動輪は、一端側キャスター装着体１４０および他端側キャスター装着体１７０間かつ、２つの一端側アジャスター１８３，１８４と２つの他端側アジャスター１８１，１８２間に位置する２つの駆動輪３６ａ、３６ｂと、２つの駆動輪３６ａ、３６ｂに設けられた駆動輪シャフト１３７を備えている。そして、電動式駆動機構は、駆動輪シャフト１３７を回転させるための駆動モータ３９を備えている。そして、モータ３９には、図１４に示すように、モータのドライブシャフト（図示せず）の回転運動を駆動輪シャフト１３７に伝達するための駆動力伝達機構１８０を備えている。具体的には、駆動力伝達機構１８０は、ドライブシャフトの端部に設けられた第１の歯車（図示せず）と、駆動輪シャフトに設けられ、第１の歯車と噛合する第２の歯車とにより構成されている。そして、第１の歯車および第２の歯車としては、例えば、傘歯車が用いられる。
【００３４】
操舵部１５０のハンドル部１４６は、図に示すように、上部棒状部１４６ａと上部棒状部１４６ａの両側部を支持部１４１に固定するための側部棒状部により構成されている。そして、上部棒状部１４６ａが、作業施設用移動式涼風発生装置の移動時に作業者が把持し、操作する部分となっている。そして、支持部１４１上には、電源部８６が載置されており、この電源部８６は、駆動モータ３９，モータ操作部（駆動スイッチ）１４７と電気的に接続されている。また、電源部８６は、着脱式バッテリー（図示せず）と、モータ制御機能を備えている。そして、モータ操作部（駆動スイッチ）１４７を押すことにより、駆動モータ３９が駆動し、作業施設用移動式涼風発生装置１００は、前進（気化放熱式大型涼風発生機２の左側面方向に進行）し、ハンドル部を操作することにより、図１５に示すように、一端側キャスター装着体１４０および補助操舵輪１４８を備える操舵部１５０が車台本体１６０に対して水平方向に回動し、進行方向を適宜変更可能となっている。そして、設置位置に作業施設用移動式涼風発生装置を到達させた後、４つのアジャスタを若干下方に下げ、接地させ、作業施設用移動式涼風発生装置をがたつかない安定した状態とする。
【符号の説明】
【００３５】
１、１０，１００  作業施設用移動式涼風発生装置
２  気化放熱式大型涼風発生機
３  自走式車台
４  涼風発生機本体
５  涼風送気ダクト
６  車台本体
７  基台
１０  作業施設用移動式涼風発生装置
２１  送風機
３１  操舵輪
３２，３３，３４，３５，３７，３８  キャスター
３６  駆動輪
８１，８２，８３，８４  アジャスター
５１  涼風吹出口
【図１】
0003169548.tif 000003
【図２】
0003169548.tif 000004
【図３】
0003169548.tif 000005
【図４】
0003169548.tif 000006
【図５】
0003169548.tif 000007
【図６】
0003169548.tif 000008
【図７】
0003169548.tif 000009
【図８】
0003169548.tif 000010
【図９】
0003169548.tif 000011
【図１０】
0003169548.tif 000012
【図１１】
0003169548.tif 000013
【図１２】
0003169548.tif 000014
【図１３】
0003169548.tif 000015
【図１４】
0003169548.tif 000016
【図１５】
0003169548.tif 000017